(57)【特許請求の範囲】
【請求項１】
床面上を任意な方向に走行自在なテーブルリフタと、上面に金型搬送路を設けて該金型搬送路にて金型を中空成形機の一対の型締プラテン間に滑動して挿入可能とする、前記テーブルリフタに設けたコモンベースと、前記一対の型締プラテンに対し前記金型搬送路の高さ方向と水平方向の位置合わせをするための位置決め手段とを具備し、該位置決め手段が、前記一対の型締プラテンの各側部に臨む前記コモンベースの端部に設けた、テーパーを付けた第１ガイド部材と、前記一対の型締プラテンの前記各側部に設けた、前記第１ガイド部材のテーパーと水平方向に当接するテーパーを付けた第２ガイド部材とを有することを特徴とする中空成形機の金型取付け装置。
【請求項２】
前記位置決め手段が、前記テーブルリフタを前記一対の型締プラテンの前記側部に臨ませたとき、前記コモンベースの端部から、前記一対の型締プラテンを近接離反方向にスライドさせるタイバーを挿着したスライドカラー上まで至る架橋プレートを有することを特徴とする請求項１記載の中空成形機の金型取付け装置。
【発明の詳細な説明】
【０００１】
【発明の属する技術分野】
この発明は、重量物である金型の型締プラテンへの取付け、取り外しを簡便化するための中空成形機の金型取付け装置に関する。
【０００２】
【従来の技術】
従来の型締装置では、金型が成型品の種類により異なるので、その都度、型締プラテンに金型を装着しなければならない。その場合、型締プラテンに設けたキー溝を基準として片方の金型を取り付けた後、反対面の金型を手で落下しないよう押さえて取り付けていた。また、型締プラテン内への挿入に際してはホイストやフォークリフト等にて金型を吊支して上方から入れていた。
【０００３】
【発明が解決しようとする課題】
したがって、片面ずつの取付け方法では時間がかかり、金型が落下する危険性を伴っていた。また、前記上方からの挿入をする場合、型締プラテンの上方には押出装置や打込装置が配置されているので、吊り下げ用ワイヤの配置に制約があるために挿入し難く、さらに、そのワイヤがダイヘッド等のヒータに接触して部品を損傷するなどの事故が多かった。また、このような上方からの金型挿入作業にはホイストやフォークリフト等の作業用機械を用いなければできない不便があった。
【０００４】
このような不都合を解消するため、打込装置を移動させ、型締プラテン上方のスペースを空けて作業をすることが考えられるが、その場合、打込装置を移動させるための手段を付加する必要性が生じてコスト上昇をもたらす不都合がある。
【０００５】
そこで、この発明は上記事情に鑑みて、型締プラテンへの金型取付け作業の簡便迅速かつ容易化とその安全を図るものである。
【０００６】
【課題を解決するための手段】
この発明にかかる中空成形機の金型取付け装置は、請求項１記載のように、床面上を任意な方向に走行自在なテーブルリフタと、上面に金型搬送路を設けて該金型搬送路にて金型を中空成形機の一対の型締プラテン間に滑動して挿入可能とする、前記テーブルリフタに設けたコモンベースと、前記一対の型締プラテンに対し前記金型搬送路の高さ方向と水平方向の位置合わせをするための位置決め手段とを具備し、該位置決め手段が、前記一対の型締プラテンの各側部に臨む前記コモンベースの端部に設けた、テーパーを付けた第１ガイド部材と、前記一対の型締プラテンの前記各側部に設けた、前記第１ガイド部材のテーパーと水平方向に当接するテーパーを付けた第２ガイド部材とを有することを特徴とする。
【０００７】
また、請求項２に記載したように、前記位置決め手段が、前記テーブルリフタを前記一対の型締プラテンの前記側部に臨ませたとき、前記コモンベースの端部から、前記一対の型締プラテンを近接離反方向にスライドさせるタイバーを挿着したスライドカラー上まで至る架橋プレートを有することを特徴とする。
【００１０】
【発明の実施の形態】
この発明にかかる金型取付け方法は、前記のように、金型取付板の高さと幅方向寸法及び金型取付板を含めた金型厚さ寸法に公差を与え、型締駆動をサーボモータを用いた型締装置で、中空成形機の操作パネルから金型取付モードのスイッチを選択して型締定点動作をさせると型締プラテン間が金型厚さ＋αの寸法となるようにプログラムした中空成形機とし、型締プラテン間寸法を金型厚さ＋αの寸法に位置決めした後、側方より金型をセットしたまま型締プラテン内に挿入して取り付ける。また、型締プラテン側方へ脱着可能な金型搬送取付治具を当接し、この治具上に金型を載せて型締プラテン側方から金型をセットしたまま挿入し取り付ける。
【００１１】
そこで、金型搬送取付け治具を図示に付き説明すると、図１及び図２に示すように、ハンドル１ａ、車輪１ｂ、伸縮パンタグラフ機構１ｃ及びテーブル１ｄを備えたテーブルリフタ１上にコモンベース３を載置固定し、コモンベース３上に金型搬送路５を固定し、その金型搬送路５に金型ブロック８が滑動可能に載置され、コモンベース３の前端部に架橋プレート６が載置固定されている。テーブルリフタ１は型締装置９の型締プラテン４，４の側方に向け移動可能である。
【００１２】
型締プラテン４，４は前記型締装置９のタイバー１０にスライドカラー１１を介して摺動可能に係合する一対のものである。型締プラテン４，４の金型取付け面には適数個のローラ１２，１２が回転可能に軸支されている。また、スライドカラー１１は断面形状が八角等の多面体にして、その上面が水平に配置されている。
【００１３】
金型搬送路５は、図３，４に示すように、コモンベース３上の左右両側付近に、金型ブロック８を載置できる間隔を有してローラーブロック１３，１６を配置固定し、ローラブロック１６，１６の進行側前部に一対のガイド部材１４，１４を取り付けるとともに、コモンベース３の進行側前部略中央部に架橋プレート６を前方へ張り出して取付けてある。ローラーブロック１３，１６は側面に適数個のローラー１２，１２をそれぞれ回転自在に軸支したものである。なお、金型搬送路５は、図示においては前部と後部に別れたローラーブロック１３，１６を用いてコモンベース３上に固定して形成されている。
【００１４】
第１ガイド部材１４は前面に外側へ開いて相反するテーパー部１７を形成してあり、このテーパー部１７と対面して内側に向いて相対するテーパー部１８を設けた第２ガイド部材１９が型締プラテン４の側面に設けてある。
【００１５】
金型搬送路５の後部には金型ブロック８のストッパー２０が設けられている。ストッパー２０はテーブルリフタ１より金型ブロック８の落下防止のため直角の切欠部を設けた板体を回動可能に軸２２で片側のローラブロック１３の末端部付近に軸着し、レバー２３で起伏操作するようにしたものである。
【００１６】
金型ブロック８は、図２に示すように、半割り型８ａ，８ｂにそれぞれ金型取付板２５，２５を取り付けたもので、半割り型８ａ，８ｂをパーティングラインにて面接触させ一体化してある。この金型取付板２５，２５がローラー１２，１２上に載置され、これにより金型ブロック８は金型搬送路５を滑動し型締プラテン４，４間に移動できる。
【００１７】
したがって、金型ブロック８をテーブルリフタ１に搭載するときは、伸縮パンタグラフ機構を収縮させてコモンベース３が下降した状態で、金型搬送路５上に金型ブロック８の金型取付板２５，２５をホイストやフォークリフトなどでローラー１２，１２の上に載置させ、レバー２３を回動操作しストッパー２０を軸２２を介し起立させて金型搬送路５からの落下を防止する。
【００１８】
ついで、図３，４に示すように、テーブルリフタ１を型締プラテン４，４の側方へ移動し、伸縮パンタグラフ機構１ｃを伸長させて金型搬送路５のローラー１２を型締プラテン４のローラー１２の高さに上昇させた後、第１ガイド部材１４，１４を第２ガイド部材１９，１９に当接させるとそれぞれのテーパー部１７，１８が接触して金型搬送路５の水平方向（左右方向）の位置決めがなされ、また、架橋プレート６がスライドカラー１１の水平面部上に乗り上げて高さ方向の位置決めがなされる。
【００１９】
かくして、型締プラテン４と金型搬送路５のローラー１２，１２が同一水平線上に位置すると、金型ブロック８を手押しなどにて金型搬送路５から型締プラテン４内に移動させ、金型ストッパー２４に当接させ、金型取付板２５，２５を型締プラテン４，４の金型取付面にそれぞれ固定する。
【００２０】
このように、金型搬送路５の先端部の第１ガイド部材１４を型締プラテン４の第２ガイド部材１９に押し付け、かつ、架橋プレート６がスライドカラー１１の上面に乗り上げるだけで金型搬送路５の位置決めがなされ、型締プラテン４のローラー１２と金型搬送路５のローラー１２の高さを同一レベルにすることができ、そこで、金型ブロック８を型締プラテン４間への挿入作業が極めて簡便容易化される。
【００２１】
【発明の効果】
以上説明したこの発明によれば、型締プラテンへの金型挿入作業を、型締プラテンの側方に当接する金型搬送路を介し水平移動で行うようにしたので、型締プラテンへの金型取付け作業を簡便迅速かつ容易化することができ、作業能率を向上させるほか、押出装置や打込装置を損傷させるおそれもない。
【図面の簡単な説明】
【図１】この発明の実施の一例を示す正面図である。
【図２】図１の一部省略右側面図である。
【図３】図１の平面図である。
【図４】図３のＸ−Ｘ断面図である。
【符号の説明】
１…テーブルリフタ
１ｃ…伸縮機構
３…コモンベース
４…型締プラテン
５…金型搬送路
６…架橋プレート（位置決め手段）
８…金型ブロック
９…型締装置
１０…タイバー
１１…スライドカラー
１２…ローラー
１３，１６…ローラーブロック
１４，１９…ガイド部材（位置決め手段）
１７，１８…テーパー部
２０…ストッパー
２４…金型ストッパー
２５…金型取付板
【図１】
0004124519.tif 000002
【図２】
0004124519.tif 000003
【図３】
0004124519.tif 000004
【図４】
0004124519.tif 000005